(57)【要約】【課題】フレキシブルフラットケーブル（ＦＦＣ）を有するチルトパネル装置において該ＦＦＣにかかる屈曲負荷を軽減する。【解決手段】筐体３と、筐体３に対して閉じた第１姿勢と筐体３に対して開いた第２姿勢との間で回動可能なチルトパネル４と、を備え、筐体３とチルトパネル４とは、ＦＦＣ７で接続され、ＦＦＣ７は、前記第１姿勢では、前記ＦＦＣ７の第１面１１側に曲がり、前記第２姿勢では、前記第１姿勢での屈曲位置１４と異なる位置１５において、第１面１１と反対側の第２面１２側に曲がる。【選択図】図２
2015032685.tif 000002
【特許請求の範囲】
【請求項１】
筐体と、前記筐体に対して閉じた第１姿勢と前記筐体に対して開いた第２姿勢との間で
回動可能なチルトパネルと、を備え、
前記チルトパネルは、
回動支点側に開口部を有し、
前記筐体に一端が接続されるフレキシブルフラットケーブルの他端が、前記開口部か
ら通された状態で接続され、
前記筐体は、
前記フレキシブルフラットケーブルを該筐体内部に導入する導入部を備え、
前記開口部には、
前記チルトパネルの回動動作において前記フレキシブルフラットケーブルの第１面と
接触する側に、第１部材が該チルトパネルの外側方向に向けて突設され、
前記フレキシブルフラットケーブルは、
前記チルトパネルが前記第１姿勢の状態においては、前記第１部材の前記外側方向の
先端部近傍で、前記第１面側に曲がり、下部に下がり、前記導入部より前記筐体内部に導
入し、
前記チルトパネルが前記第２姿勢の状態においては、前記開口部における前記第１部
材が設けられた側と対向する側の部分に接触し、前記第１面と反対側の第２面側に曲がり
、前記導入部より前記筐体内部に導入する
ことを特徴とするチルトパネル装置。
【請求項２】
請求項１に記載のチルトパネル装置において、
前記導入部には、前記チルトパネル側に形成された筐体内壁部が形成され、
前記フレキシブルフラットケーブルは、
前記第２姿勢の状態においては、前記筐体内壁部と接触し、前記筐体内部に導入する
ことを特徴とするチルトパネル装置。
【請求項３】
前記筐体と前記チルトパネルの間には、隙間が形成され、前記筐体上部には段差部が形
成され、前記段差部の上面にスキャナーが載置可能な、請求項１又は請求項２に記載のチ
ルトパネル装置を備える
ことを特徴とする記録装置。
【発明の詳細な説明】
【技術分野】
【０００１】
本発明は、フレキシブルフラットケーブルを有するチルトパネル装置及び該チルトパネ
ル装置を備える記録装置に関する。
【背景技術】
【０００２】
従来から、フレキシブルフラットケーブル（ＦＦＣ）を有するチルトパネル装置が使用
されている。このようなチルトパネル装置においては、装置本体の筐体と、前記筐体に対
して回動可能なチルトパネルと、がＦＦＣで接続されている。例えば、特許文献１には、
チルトパネルの回動支点側からフラットケーブルを該チルトパネルに挿入した構成のチル
トパネル装置が開示されている。
【０００３】
一方、近年、電子機器の小型化が求められており、チルトパネル装置を備える記録装置
においても同様である。このため、チルトパネル装置の装置本体内において、ＦＦＣを配
置するスペースが狭くなる傾向にある。
【先行技術文献】
【特許文献】
【０００４】
【特許文献１】特開２００３−２６９４４０号公報
【発明の概要】
【発明が解決しようとする課題】
【０００５】
しかしながら、ＦＦＣを配置するスペースが狭くなると、装置本体の筐体に対してチル
トパネルを回動させることに伴ってＦＦＣにかかる屈曲負荷（ＦＦＣを曲げることにより
該ＦＦＣにかかる負荷）が大きくなる傾向にある。チルトパネルの回動に伴うＦＦＣの屈
曲角度の変化が小さくなるようにＦＦＣを配置することが困難になるためである。ＦＦＣ
にかかる屈曲負荷が大きくなるとＦＦＣが断線する虞等がある。  
特に、ＦＦＣを配置するスペースが狭くなることで、チルトパネルの回動に伴って、Ｆ
ＦＣの同じ部分が反対方向に屈曲し、屈曲負荷が大きくなる場合があった。  
なお、特許文献１で開示されるチルトパネル装置では、ＦＦＣを配置するスペースが広
くとられており、ＦＦＣを配置するスペースが狭い場合においてチルトパネルの回動に伴
うＦＦＣにかかる屈曲負荷が大きくなるという課題に関する記載及び示唆はない。
【０００６】
そこで、本発明の目的は、ＦＦＣを有するチルトパネル装置において該ＦＦＣにかかる
屈曲負荷を軽減することである。
【課題を解決するための手段】
【０００７】
上記課題を解決するための本発明の第１の態様のチルトパネル装置は、筐体と、前記筐
体に対して閉じた第１姿勢と前記筐体に対して開いた第２姿勢との間で回動可能なチルト
パネルと、を備え、前記チルトパネルは、回動支点側に開口部を有し、前記筐体に一端が
接続されるフレキシブルフラットケーブルの他端が、前記開口部から通された状態で接続
され、前記筐体は、前記フレキシブルフラットケーブルを該筐体内部に導入する導入部を
備え、前記開口部には、前記チルトパネルの回動動作において前記フレキシブルフラット
ケーブルの第１面と接触する側に、第１部材が該チルトパネルの外側方向に向けて突設さ
れ、前記フレキシブルフラットケーブルは、前記チルトパネルが前記第１姿勢の状態にお
いては、前記第１部材の前記外側方向の先端部近傍で、前記第１面側に曲がり、下部に下
がり、前記導入部より前記筐体内部に導入し、前記チルトパネルが前記第２姿勢の状態に
おいては、前記開口部における前記第１部材が設けられた側と対向する側の部分に接触し
、前記第１面と反対側の第２面側に曲がり、前記導入部より前記筐体内部に導入すること
を特徴とする。
【０００８】
本態様によれば、前記フレキシブルフラットケーブル（ＦＦＣ）は、前記チルトパネル
が前記第１姿勢の状態においては、前記第１部材の前記外側方向の先端部近傍で、前記第
１面側に曲がる。また、前記チルトパネルが前記第２姿勢の状態においては、前記開口部
における前記第１部材が設けられた側と対向する側の部分に接触し、前記第１面と反対側
の第２面側に曲がる。ここで、前記外側方向において、前記第１部材の前記外側方向の先
端部の位置と、前記開口部における前記第１部材が設けられた側と対向する側の部分の位
置とは、ずれている。前記開口部における前記第１部材が設けられた側と対向する側の部
分に、前記外側方向に向かう部材は設けられていないためである。すなわち、前記ＦＦＣ
は、前記チルトパネルが前記第１姿勢の状態と前記第２姿勢の状態とで、異なる部分が曲
がる。このため、前記ＦＦＣにかかる屈曲負荷を軽減することができる。
【０００９】
上記課題を解決するための本発明の第２の態様のチルトパネル装置は、前記導入部には
、前記チルトパネル側に形成された筐体内壁部が形成され、前記フレキシブルフラットケ
ーブルは、前記第２姿勢の状態においては、前記筐体内壁部と接触し、前記筐体内部に導
入することを特徴とする。
【００１０】
本態様によれば、前記導入部には、前記チルトパネル側に形成された筐体内壁部が形成
され、前記フレキシブルフラットケーブル（ＦＦＣ）は、前記第２姿勢の状態においては
、前記筐体内壁部と接触し、前記筐体内部に導入する構成のチルトパネル装置において、
前記ＦＦＣにかかる屈曲負荷を軽減することができる。
【００１１】
本発明の第３の態様の記録装置は、前記筐体と前記チルトパネルの間には、隙間が形成
され、前記筐体上部には段差部が形成され、前記段差部の上面にスキャナーが載置可能な
、前記第１又は第２に記載のチルトパネル装置を備えることを特徴とする。
【００１２】
本態様によれば、前記筐体と前記チルトパネルの間には、隙間が形成され、前記筐体上
部には段差部が形成され、前記段差部の上面にスキャナーが載置可能な、前記第１又は第
２に記載のチルトパネル装置を備える記録装置において、前記ＦＦＣにかかる屈曲負荷を
軽減することができる。
【図面の簡単な説明】
【００１３】
【図１】本発明の実施例１に係るチルトパネル装置を備える記録装置を表す概略斜視図。
【図２】本発明の実施例１に係るチルトパネル装置においてチルトパネルを閉じた状態を表す概略側面断面図。
【図３】本発明の実施例１に係るチルトパネル装置においてチルトパネルを開いた状態を表す概略側面断面図。
【図４】本発明の実施例１に係るチルトパネル装置においてチルトパネルを閉じた状態におけるＦＦＣを記録装置の背面側から見た概略斜視図。
【図５】本発明の実施例１に係るチルトパネル装置においてチルトパネルを開いた状態におけるＦＦＣを記録装置の背面側から見た概略斜視図。
【図６】本発明の実施例１に係るチルトパネル装置のチルトパネルにＦＦＣが接続された状態を表す概略斜視図。
【図７】本発明の実施例１に係るチルトパネル装置のチルトパネルにＦＦＣが接続された状態を表す概略斜視図。
【図８】本発明の実施例１例に係るチルトパネル装置を備える記録装置のカバー部を表す拡大図。
【図９】本発明の実施例２に係るチルトパネル装置においてチルトパネルを閉じた状態を表す概略側面断面図。
【図１０】本発明の実施例２に係るチルトパネル装置においてチルトパネルを開いた状態を表す概略側面断面図。
【発明を実施するための形態】
【００１４】
［実施例１］（図１〜図８）  
以下に、本発明の実施例１のチルトパネル装置及び該チルトパネル装置を備える電子機
器としての記録装置について、添付図面を参照して詳細に説明する。  
本実施例の記録装置１は、本発明の一実施例に係るチルトパネル装置２を備える記録装
置である。しかしながら、本発明のチルトパネル装置は記録装置に備えられるチルトパネ
ル装置に限定されず、本発明の電子機器は記録装置に限定されない。  
最初に、本実施例の記録装置１の概略構成について説明する。  
図１は本実施例の記録装置１の概略側面図である。
【００１５】
なお、本明細書において「屈曲」とは、折り目が付く状態まで曲げられる状態を意味し
、折り目が付く又は付かないに限られずに曲げられる場合は、単に曲がると表現している
。  
本実施例の記録装置１は、筐体３と、筐体３に対して閉じた第１姿勢と筐体３に対して
開いた第２姿勢との間で回動可能なチルトパネル４と、を備えるチルトパネル装置２を備
えている。なお、図１では、チルトパネル４は筐体３に対して閉じた第１姿勢を表してい
るが、チルトパネル４は筐体３に対して方向Ａに回動することにより筐体３に対して開い
た第２姿勢を取ることができる。
【００１６】
本実施例の記録装置１は、チルトパネル４の上側に回動支点１９（図２及び図３参照）
を備える構成であり、チルトパネル４の回動支点１９側には、チルトパネル４と筐体３と
の隙間５が空いているが、記録装置１の上部には該隙間５の一部を含んでカバーするカバ
ー部６が設けられている。また、筐体３の上部には段差部２２（図２及び図３参照）が形
成され、段差部２２の上面には、スキャナー２４を載置するスキャナー載置部２３が形成
されている。
【００１７】
次に、本実施例のチルトパネル装置２において、チルトパネル４が筐体３に対して閉じ
た第１姿勢に位置する状態におけるＦＦＣ７の配置と、チルトパネル４が筐体３に対して
開いた第２姿勢に位置する状態におけるＦＦＣ７の配置について説明する。  
図２は本実施例のチルトパネル装置２においてチルトパネル４を閉じた状態（第１姿勢
）を表す概略側面断面図であり、図３は本実施例のチルトパネル装置２においてチルトパ
ネル４を開いた状態（第２姿勢）を表す概略側面断面図である。
【００１８】
図２及び図３で表されるように、チルトパネル４は、回動支点１９側に開口部８を有し
、筐体３に一端が接続されるＦＦＣ７の他端が、開口部８から通された状態で接続されて
いる。  
ここで、筐体３は、ＦＦＣ７を該筐体３内部に導入する導入部２０を備えている。なお
、導入部２０には、チルトパネル４側に形成された筐体内壁部２１が形成されている。  
また、開口部８には、チルトパネル４の回動動作において内角側の面となるＦＦＣ７の
第１面１１と接触する側に、第１部材としての第１板状部材９が該チルトパネル４の外側
方向Ｂに向けて設けられ（突設され）ている。一方、第１板状部材９が設けられた側と対
向する側の部分１５に、外側方向Ｂに向かう部材は設けられていない。  
そして、チルトパネル４が第１姿勢の状態である図２で表されるように、ＦＦＣ７は、
チルトパネル４が第１姿勢の状態においては、第１板状部材９の外側方向Ｂの先端部１４
近傍で、第１面１１側に曲がり、下部に下がり、導入部２０より筐体３内部に導入してい
る。  
一方、チルトパネル４が第２姿勢の状態である図３で表されるように、ＦＦＣ７は、チ
ルトパネル４が第２姿勢の状態においては、開口部８における第１板状部材９が設けられ
た側と対向する側の部分１５に接触し、第１面１１と反対側の第２面１２側に曲がり、導
入部２０において筐体内壁部２１と接触し、筐体３内部に導入している。
【００１９】
このような構成により、本実施例のチルトパネル装置２は、外側方向Ｂにおいて、第１
板状部材９の外側方向Ｂの先端部１４の位置と、開口部８における第１板状部材９が設け
られた側と対向する側の部分１５の位置とは、ずれている。開口部８における第１板状部
材９が設けられた側と対向する側の部分１５に、外側方向Ｂに向かう部材は設けられてい
ないためである。すなわち、ＦＦＣ７は、チルトパネル４が前記第１姿勢の状態（図２）
と前記第２姿勢の状態（図３）とで、異なる部分が曲がる。このため、本実施例のチルト
パネル装置２は、ＦＦＣ７にかかる屈曲負荷を軽減している。
【００２０】
なお、本実施例の第１板状部材９は可撓性を有さないが、第１板状部材９は可撓性を有
していてもよい。第１板状部材９は可撓性を有していれば、チルトパネル４の回動に伴う
ＦＦＣ７の屈曲角度の変化を該第１板状部材９自体の撓み変形によって軽減でき、ＦＦＣ
７にかかる屈曲負荷を軽減することができる。
【００２１】
また、本実施例のチルトパネル装置２では、開口部８は、回動支点１９よりもチルトパ
ネル４の該回動支点１９側の端部１６に近い位置に設けられている。  
このような構成により、本実施例のチルトパネル装置２は、ＦＦＣ７における筐体３の
外側に位置する部分であってチルトパネル４の外側に位置する部分１３を少なくすること
ができる。すなわち、チルトパネル装置２の外部から確認できるＦＦＣ７の該部分１３を
減らすことで見た目を良くするとともにチルトパネル装置２外部の電磁波の影響を軽減す
ることができる。ただしこのような構成に限定されない。
【００２２】
また、本実施例のチルトパネル装置２では、ＦＦＣ７の前記部分１３は、絶縁性部材で
保護されている。  
このような構成により、本実施例のチルトパネル装置２は、チルトパネル装置２外部の
電磁波の影響を軽減している。  
なお、本実施例のチルトパネル装置２は、絶縁性シートがＦＦＣ７の前記部分１３に巻
かれることにより、ＦＦＣ７の前記部分１３が絶縁性部材で保護されているが、このよう
な構成に限定されず、例えば、ＦＦＣ７が絶縁性部材を用いて構成されていてもよい。  
また、本実施例のチルトパネル装置２では、ＦＦＣ７の前記部分１３に巻かれた絶縁性
シートの色を、チルトパネル４及び筐体３におけるＦＦＣ７の前記部分１３の周辺部分の
色と揃えて、ＦＦＣ７が目立たないように見た目を良くしている。ただしこのような構成
に限定されない。
【００２３】
次に、本実施例のチルトパネル装置２において、チルトパネル４が筐体３に対して閉じ
た第１姿勢に位置する状態におけるＦＦＣ７の配置と、チルトパネル４が筐体３に対して
開いた第２姿勢に位置する状態におけるＦＦＣ７の配置についてさらに説明する。  
図４は本実施例のチルトパネル装置２においてチルトパネル４を閉じた状態（第１姿勢
）におけるＦＦＣ７を記録装置１の背面側から見た概略斜視図であり、図５は本実施例の
チルトパネル装置２においてチルトパネル４を開いた状態（第２姿勢）におけるＦＦＣ７
を記録装置１の背面側から見た概略斜視図である。
【００２４】
図４で表されるように、チルトパネル４が第１姿勢の状態の場合、第１板状部材９の先
端部１４により、ＦＦＣ７は、該先端部１４に対応する位置において第１面１１側に曲が
る。なお、本実施例のチルトパネル装置２ではこの際の屈曲角度は約９０°である。  
一方、図５で表されるように、チルトパネル４が第２姿勢の状態の場合、第１板状部材
９が設けられた側と対向する側の開口部８の部分１５により、ＦＦＣ７は、該部分１５に
対応する位置において第２面１２側に曲がる。なお、本実施例のチルトパネル装置２では
この際の屈曲角度は約７２°である。  
なお、屈曲角度とは、ＦＦＣ７が曲がっていない（屈曲していない）状態を０°とし、
曲がっていない状態から何度曲がって（屈曲して）いるかを示すものである。
【００２５】
次に、チルトパネル４について詳細に説明する。  
図６及び図７は、本実施例のチルトパネル装置２のチルトパネル４にＦＦＣ７が接続さ
れた状態を夫々異なる角度から表す概略斜視図である。
【００２６】
図６及び図７で表されるように、本実施例のチルトパネル装置２のチルトパネル４は、
ＦＦＣ７が開口部８から通された状態で、該ＦＦＣ７が接続される。チルトパネル４は回
動支点１９を基準にして方向Ａに回動するが、該回動は、ギア１７を介してチルトパネル
４に方向Ａの動力を付与することにより行われる。
【００２７】
次に、本実施例のチルトパネル装置２のカバー部６について詳細に説明する。  
図８は本実施例の記録装置１のカバー部６を表す拡大図であり、カバー部６はチルトパ
ネル装置２のカバー部を兼ねている。
【００２８】
本実施例のチルトパネル装置２は、ＦＦＣ７における筐体３の外側に位置する部分であ
って前記チルトパネルの外側に位置する部分１３の少なくとも一部を、ＦＦＣ７の第２面
１２側からカバーするカバー部６を備える。  
このような構成により、本実施例のチルトパネル装置２は、チルトパネル４と筐体３と
の隙間５を狭くしている。このため、ＦＦＣ７の前記部分１３の少なくとも一部をカバー
して隠し、見た目を良くするとともにチルトパネル装置外部の電磁波の影響を軽減してい
る。
【００２９】
［実施例２］（図９〜図１０）  
以下に、実施例２のチルトパネル装置を備える記録装置について、添付図面を参照して
詳細に説明する。  
図９は本実施例のチルトパネル装置２においてチルトパネル４を閉じた状態（第１姿勢
）を表す概略側面断面図であり、図１０は本実施例のチルトパネル装置２においてチルト
パネル４を開いた状態（第２姿勢）を表す概略側面断面図である。  
なお、本実施例の記録装置１は、開口部８において、第１板状部材９と対向する側に、
該第１板状部材９よりも外側方向Ｂにおいて短い第２部材としての第２板状部材１０が該
外側方向Ｂに向けて設けられる点のみにおいて、実施例１の記録装置と相違する。
【００３０】
本実施例のチルトパネル装置２は、筐体３と、筐体３に対して閉じた第１姿勢と筐体３
に対して開いた第２姿勢との間で回動可能なチルトパネル４と、を備えている。  
そして、チルトパネル４は、回動支点１３側に開口部８を有し、筐体３に一端が接続さ
れるＦＦＣ７の他端が、開口部８から通された状態で接続されている。  
ここで、筐体３は、ＦＦＣ７を該筐体３内部に導入する導入部２０を備えている。なお
、導入部２０には、チルトパネル４側に形成された筐体内壁部２１が形成されている。  
また、開口部８には、チルトパネル４の回動動作において内角側の面となるＦＦＣ７の
第１面１１と接触する側に、第１板状部材９が該チルトパネル４の外側方向Ｂに向けて設
けられ（突設され）ている。そして、第１板状部材９と対向する側に、該第１板状部材９
よりも外側方向Ｂにおいて短い第２板状部材１０が該外側方向Ｂに向けて設けられ（突設
され）ている。  
また、図９で表されるように、ＦＦＣ７は、チルトパネル４が第１姿勢の状態において
は、第１板状部材９の外側方向Ｂの先端部１４近傍で、第１面１１側に曲がり、下部に下
がり、導入部２０より筐体３内部に導入している。  
一方、図１０で表されるように、ＦＦＣ７は、チルトパネル４が第２姿勢の状態におい
ては、第２板状部材１０の外側方向Ｂの先端部１８近傍で、第１面１１と反対側の第２面
１２側に曲がり、導入部２０において筐体内壁部２１と接触し、筐体３内部に導入してい
る。
【００３１】
このような構成により、本実施例のチルトパネル装置２は、外側方向Ｂにおいて、第１
板状部材９の外側方向Ｂの先端部１４の位置と、第２板状部材１０の外側方向Ｂの先端部
１８の位置とは、ずれている。すなわち、ＦＦＣ７は、チルトパネル４が第１姿勢の状態
（図９）と第２姿勢の状態（図１０）とで、異なる部分が曲がる。このため、ＦＦＣ７に
かかる屈曲負荷を軽減している。  
また、本実施例のチルトパネル装置２は、第２板状部材１０により、ＦＦＣ７の一部を
カバーして隠し、見た目を良くするとともにチルトパネル装置外部の電磁波の影響を軽減
している。
【００３２】
なお、本実施例の第１板状部材９及び第２板状部材１０は何れも可撓性を有さないが、
第１板状部材９及び第２板状部材１０の少なくとも一方は可撓性を有していてもよい。第
１板状部材９及び第２板状部材１０の少なくとも一方が可撓性を有していれば、チルトパ
ネル４の回動に伴うＦＦＣ７の屈曲角度の変化を軽減でき、ＦＦＣ７にかかる屈曲負荷を
軽減することができる。  
なお、第１板状部材９及び第２板状部材１０の両方が可撓性を有する場合、特に効果的
にチルトパネル４の回動に伴うＦＦＣ７の屈曲角度の変化を軽減できる。
【００３３】
以上の実施例１及び２で表されるように、本発明の実施例に係るチルトパネル装置は、
筐体３と、筐体３に対して閉じた第１姿勢と筐体３に対して開いた第２姿勢との間で回動
可能なチルトパネル４と、を備え、筐体３とチルトパネル４とは、ＦＦＣ７で接続され、
ＦＦＣ７は、前記第１姿勢では、前記ＦＦＣ７の第１面１１側に曲がり、前記第２姿勢で
は、前記第１姿勢での屈曲位置（第１板状部材９の先端部１４）と異なる位置（第１板状
部材９が設けられた側と対向する側の開口部８の部分１５、第２板状部材１０の先端部１
８）において、第１面１１と反対側の第２面１２側に曲がることを特徴とする。  
このような構成により、ＦＦＣ７は、チルトパネル４が前記第１姿勢の状態と前記第２
姿勢の状態とで、異なる部分が曲がる。このため、ＦＦＣ７にかかる屈曲負荷を軽減して
いる。
【符号の説明】
【００３４】
１  記録装置、２  チルトパネル装置、３  筐体、４  チルトパネル、
５  チルトパネル４と筐体３との隙間、６  カバー部、
７  フレキシブルフラットケーブル（ＦＦＣ）、８  開口部、
９  第１板状部材（第１部材）、１０  第２板状部材（第２部材）、
１１  ＦＦＣ７の第１面、１２  ＦＦＣ７の第２面、
１３  ＦＦＣ７における筐体３の外側に位置する部分であってチルトパネル４の外側に
位置する部分、
１４  第１板状部材９の先端部、
１５  第１板状部材９が設けられた側と対向する側の開口部８の部分、
１６  チルトパネル４の回動支点１３側の端部、１７  ギア、
１８  第２板状部材１０の先端部、１９  回動支点、２０  導入部、
２１  筐体内壁部、２２  段差部、２３  スキャナー載置部、２４  スキャナー
【図１】
2015032685.tif 000003
【図２】
2015032685.tif 000004
【図３】
2015032685.tif 000005
【図４】
2015032685.tif 000006
【図５】
2015032685.tif 000007
【図６】
2015032685.tif 000008
【図７】
2015032685.tif 000009
【図８】
2015032685.tif 000010
【図９】
2015032685.tif 000011
【図１０】
2015032685.tif 000012